(57)【要約】【課題】実空間における物体と情報処理装置における処理との対応付けを効率化する。【解決手段】情報処理装置は、実空間内の対象領域にオブジェクトを投影する投影手段と、投影されたオブジェクトを操作するための指示をユーザから受け付ける受付手段と、対象領域において物を検出する検出手段と、物が検出されている状態でなされたオブジェクトに対する操作が所定の条件を満たす場合、検出された物と投影されたオブジェクトに対応する処理とを対応付ける対応付け手段と、を備える。【選択図】図１
2018018169.tif 000002
【特許請求の範囲】
【請求項１】
実空間内の対象領域にオブジェクトを投影する投影手段と、
投影された前記オブジェクトを操作するための指示をユーザから受け付ける受付手段と、
前記対象領域において物を検出する検出手段と、
前記物が検出されている状態でなされた前記オブジェクトに対する操作が所定の条件を満たす場合、検出された前記物と投影された前記オブジェクトに対応する処理とを対応付ける対応付け手段と、を備える情報処理装置。
【請求項２】
前記対応付け手段は、前記対象領域における前記物と前記オブジェクトの投影位置との距離について、操作の前よりも操作の後のほうが当該距離が小さい場合、前記物と前記処理とを対応付ける請求項１に記載の情報処理装置。
【請求項３】
前記処理は前記情報処理装置で実行可能な処理であり、投影された前記オブジェクトは前記処理の内容を表すアイコンである請求項１または２に記載の情報処理装置。
【請求項４】
前記検出手段は、検出された前記物を識別する物識別情報を取得し、
前記対応付け手段は、取得された前記物識別情報と前記処理を識別する処理識別情報とを対応付けて保持部に登録する請求項１から３のいずれか１項に記載の情報処理装置。
【請求項５】
取得された前記物識別情報が前記保持部に既に登録されている場合、取得された前記物識別情報に対応する処理を前記保持部を参照して特定する特定手段と、
特定された前記処理を実行する実行手段と、をさらに備える請求項４に記載の情報処理装置。
【請求項６】
前記特定手段は、前記検出手段が異なる複数の物識別情報を取得した場合、取得された前記異なる複数の物識別情報のそれぞれに対応する処理を特定し、
前記実行手段は、特定された複数の処理を一括で実行する請求項５に記載の情報処理装置。
【請求項７】
特定された前記処理の実行状態をユーザに通知する通知手段をさらに備える請求項５または６に記載の情報処理装置。
【請求項８】
前記検出手段は、特定された前記処理の対象を検出し、
前記投影手段は、検出された前記対象が処理済みとなった場合、その旨を示す画像を前記対象に重畳するよう投影する請求項５から７のいずれか１項に記載の情報処理装置。
【請求項９】
前記特定手段は、前記検出手段が異なる複数の物識別情報を取得した場合、取得された前記異なる複数の物識別情報のそれぞれに対応する処理を特定し、
前記検出手段は、特定された複数の処理のうちのひとつの処理の対象を検出し、
前記投影手段は、検出された前記対象が特定された複数の処理のうちの他の処理の対象となる場合、検出された前記対象の画像を当該他の処理に対応する物に関連付けて投影する請求項５に記載の情報処理装置。
【請求項１０】
前記投影手段は、複数のオブジェクトを投影し、
前記受付手段は、前記複数のオブジェクトのうちのひとつのオブジェクトに対する指示を受け付け、
前記対応付け手段は、検出された前記物と前記ひとつのオブジェクトに対応する処理とを対応付ける請求項１から９のいずれか１項に記載の情報処理装置。
【請求項１１】
実空間内の対象領域にオブジェクトを投影することと、
投影された前記オブジェクトを操作するための指示をユーザから受け付けることと、
前記対象領域において物を検出することと、
前記物が検出されている状態でなされた前記オブジェクトに対する操作が所定の条件を満たす場合、検出された前記物と投影された前記オブジェクトに対応する処理とを対応付けることと、を含む情報処理方法。
【請求項１２】
実空間内の対象領域にオブジェクトを投影する投影手段と、
前記対象領域において物の移動を検出する検出手段と、
前記対象領域における前記物と前記オブジェクトの投影位置との距離について、移動の前よりも移動の後のほうが当該距離が小さい場合、検出された前記物と投影された前記オブジェクトに対応する処理とを対応付ける対応付け手段と、を備える情報処理装置。
【請求項１３】
実空間内の対象領域にオブジェクトを投影することと、
前記対象領域において物の移動を検出することと、
前記対象領域における前記物と前記オブジェクトの投影位置との距離について、移動の前よりも移動の後のほうが当該距離が小さい場合、検出された前記物と投影された前記オブジェクトに対応する処理とを対応付けることと、を含む情報処理方法。
【請求項１４】
コンピュータを請求項１乃至１０のいずれか１項または請求項１２に記載の装置の各手段として機能させるためのプログラム。
【発明の詳細な説明】
【技術分野】
【０００１】
本発明は、情報処理装置および情報処理方法に関する。
【背景技術】
【０００２】
文書によって各種業務の達成を図る文書処理ワークフローが広く用いられている。特に紙媒体に記載された文書情報をコンピュータシステムに取り込む文書処理ワークフローの活用領域は、文書認識技術の精度向上につれ、一般的なオフィスワークから金融業、流通業、医療等に至るまで拡大している。こうした文書処理ワークフローにおいて、文書情報の処理手続きを定義し、実行可能にするワークフロー定義の方法に対して様々な提案がなされている。
【０００３】
例えば特許文献１には、ワークフローの部品となるグラフィカルシンボルをエラーを引き起こすことなく実行できる所定の位置に表示することにより、コンピュータ画面上でワークフローを効率的に作成する方法が開示されている。また、特許文献２には、データフローの編集において異なるデータタイプのプログラムモジュールの結合を容易にするために、結線可能なプログラムモジュールの接続端子を識別して表示する方法が開示されている。これらの方法により、コンピュータ画面上で所定の処理手続きをワークフローとして作成することが可能となる。
【先行技術文献】
【特許文献】
【０００４】
【特許文献１】特開２０１４−１６４７６５号公報
【特許文献２】特開平７−１９１８４０号公報
【発明の概要】
【発明が解決しようとする課題】
【０００５】
特許文献１、２は、コンピュータディスプレイ上でワークフロー処理の定義作成を、グラフィカルなシンボルの操作として行う技術を開示している。しかしながら、電子データではなく実空間内の物体に対してこのような操作を行うためには、その物体をいったんコンピュータシステムに電子データとして取り込む必要がある。したがって、取り込み処理、定義作成処理、の少なくとも２ステップが発生するので手間である。
【０００６】
本発明はこうした課題に鑑みてなされたものであり、その目的は、実空間における物体と情報処理装置における処理との対応付けを効率化できる技術の提供にある。
【課題を解決するための手段】
【０００７】
本発明のある態様は情報処理装置に関する。この情報処理装置は、実空間内の対象領域にオブジェクトを投影する投影手段と、投影されたオブジェクトを操作するための指示をユーザから受け付ける受付手段と、対象領域において物を検出する検出手段と、物が検出されている状態でなされたオブジェクトに対する操作が所定の条件を満たす場合、検出された物と投影されたオブジェクトに対応する処理とを対応付ける対応付け手段と、を備える。
【０００８】
本発明の別の態様もまた、情報処理装置である。この情報処理装置は、実空間内の対象領域にオブジェクトを投影する投影手段と、対象領域において物の移動を検出する検出手段と、対象領域における物とオブジェクトの投影位置との距離について、移動の前よりも移動の後のほうが当該距離が小さい場合、検出された物と投影されたオブジェクトに対応する処理とを対応付ける対応付け手段と、を備える。
【発明の効果】
【０００９】
本発明によれば、実空間における物体と情報処理装置における処理との対応付けを効率化できる。
【図面の簡単な説明】
【００１０】
【図１】図１（ａ）〜（ｃ）は、実施の形態に係る情報処理装置のハードウェア構成の一例および外観の一例を示す図。
【図２】図１（ａ）の情報処理装置のソフトウェア構成の一例を示す図。
【図３】文書処理フロー定義を指定するフロー定義文書の一例を示す図。
【図４】図２の保持手段の一例を示すデータ構造図。
【図５】図１（ａ）の情報処理装置における一連の処理の一例を示すフローチャート。
【図６】図５の紐づけ処理における一連の処理を示すフローチャート。
【図７】図７（ａ）〜（ｆ）は、机上面の対象領域の状態の例示的な遷移を示す図。
【図８】図８（ａ）〜（ｅ）は、机上面の対象領域の状態の例示的な遷移を示す図。
【図９】レセプトシステム登録処理の対象の文書の一例を示す図。
【図１０】図１０（ａ）〜（ｄ）は、机上面の対象領域の状態の例示的な遷移を示す図。
【図１１】図１１（ａ）〜（ｃ）は、机上面の対象領域の状態の例示的な遷移を示す図。
【図１２】図１２（ａ）、（ｂ）は、処理アイコンの拡大による対応付けを説明する図。
【図１３】図１３（ａ）、（ｂ）は、３つの処理アイコンの移動による対応付けを説明する図。
【図１４】図１４（ａ）、（ｂ）は、３つの物体の移動による対応付けを説明する図。
【発明を実施するための形態】
【００１１】
以下、図面を参照して本発明の実施の形態を説明する。ただし、本発明の実施の形態は以下の実施の形態に限定されるものではない。各図面に示される同一または同等の構成要素、部材、処理には、同一の符号を付するものとし、適宜重複した説明は省略する。また、各図面において説明上重要ではない部材の一部は省略して表示する。
【００１２】
実施の形態では、プロジェクタとカメラとを備えた情報処理装置により実空間の物体を認識し、登録する。プロジェクタは、物体に対応付け可能な処理の内容を表すアイコンを実空間内の対象領域に投影し、該アイコンに対するユーザからの移動指示にしたがいアイコンを動かす、すなわちアイコンの投影位置を変化させる。カメラは、まず対象領域において物体を検出する。カメラは次に、投影されたアイコンに対するユーザのジェスチャを撮影する。そのジェスチャがスワイプやドラッグのようなアイコンの移動を示すものである場合、情報処理装置はそのジェスチャを移動指示として取得する。情報処理装置は、アイコンの移動の結果、対象領域において物体とアイコンとが重なった場合、物体のＩＤとアイコンが表す処理のＩＤとを対応付けて保持部に登録する。これにより、情報処理装置への物体の登録を、より直感的に行うことができる。また、物体の画像やＩＤをいったん装置に取り込んでから、装置のディスプレイ上で画像やＩＤと処理との対応付けを行う場合と比較して、対応付け処理を簡素化できる。
【００１３】
図１（ａ）は、実施の形態に係る情報処理装置１００のハードウェア構成の一例を示す図である。情報処理装置１００は、文書処理フローを制御する装置であり、ＣＰＵ１０１と、ＲＯＭ１０２と、ＲＡＭ１０３と、処理制御部１０４と、投影表示部１０５と、通信部１０６と、撮影認識部１０８と、を備える。情報処理装置１００の各構成モジュールはバス１０７により相互に接続される。
【００１４】
ＣＰＵ１０１はＲＯＭ１０２に格納されている制御プログラムを実行することにより、情報処理装置１００を制御する。ＲＯＭ１０２は、ＣＰＵ１０１が実行する制御プログラムを格納する。ＣＰＵ１０１が制御プログラムを実行することにより、後述する情報処理装置１００のソフトウェア構成及びフローチャートに示す各処理が実現される。ＲＡＭ１０３は、情報処理装置１００の各構成要素からの各種データを一時記憶する。また、ＲＡＭ１０３は、ＣＰＵ１０１が実行する制御プログラムを展開するための記憶領域としても利用される。
【００１５】
処理制御部１０４は、ＣＰＵ１０１からの指示に応じて処理フロー制御を行う。投影表示部１０５は、プロジェクタを含み、処理制御部１０４での処理結果である操作指示や画像等の投影オブジェクトを机上や机上に置かれた実空間の物体に投影する。投影オブジェクトが物体に投影されると、投影オブジェクトが物体に「映る」。これを、以下では投影オブジェクトが物体に重なる、または重畳すると表現する。通信部１０６はネットワークインターフェース（ＮＩＣ）であり、ネットワーク上の他の装置とのＬＡＮケーブル等を介した通信を可能とする。撮影認識部１０８は、カメラで机上や机上に置かれた物体を撮影した結果得られる画像を解析して、机上の状態や机上に置かれた物体を認識する。バス１０７は、上述したＣＰＵ１０１乃至撮影認識部１０８の間でデジタル信号を伝達する。以上の構成要素を有する情報処理装置１００は、図５、図６で後述するフローチャートの各処理を実行する。
【００１６】
図１（ｂ）および図１（ｃ）は、本実施の形態に係る情報処理装置１００のハードウェア外観の一例を示す図である。図１（ｂ）は正面外観、図１（ｃ）は側方外観を示す。情報処理装置１００の筐体１１０には、カメラ１１１とプロジェクタ１１２と信号伝送ケーブル１１３とコントローラボックス１１４とが収容される。カメラ１１１は、撮影認識部１０８に接続される。プロジェクタ１１２は投影表示部１０５の一部をなす。プロジェクタ１１２は、机上面１１５や机上に置かれた文書１２０に投影オブジェクトを投影する。コントローラボックス１１４は、ＣＰＵ１０１、ＲＯＭ１０２、ＲＡＭ１０３等を収容する。コントローラボックス１１４はカメラ１１１およびプロジェクタ１１２と信号伝送ケーブル１１３で接続されている。
【００１７】
図２は、情報処理装置１００のソフトウェア構成の一例を示す図である。情報処理装置１００のソフトウェア構成は、処理アイコンの表示・操作手段２０１と、物体の位置検出手段２０２と、物体の認識手段２０３と、文書認識手段２０４と、保持手段２０５と、物体と文書処理フローとの紐づけ手段２０６と、組合せ処理フローの生成手段２０７と、文書処理フローのジョブ実行手段２０８と、文書処理フローのジョブの結果表示手段２０９と、を含む。
【００１８】
保持手段２０５は、文書処理フローのジョブの管理情報を保持する。管理情報は、情報処理装置１００の文書処理フロー定義文書のほか、文書処理ジョブの状態や物体に紐づけられた処理の情報を含む。表示・操作手段２０１は、プロジェクタ１１２に、情報処理装置１００で実行可能な処理を表す処理アイコンを、机上面１１５や机上に置かれた文書１２０などに投影させる。処理アイコンは投影オブジェクトの一つである。表示・操作手段２０１は、処理アイコンを移動させるための不図示のポインティングデバイスや指差し、カメラ１１１により取得されるジェスチャ、あるいは音声による指示をユーザから受け付ける受付手段としての機能を有する。表示・操作手段２０１は、受け付けた指示にしがたい、処理アイコンの投影位置を移動させるようプロジェクタ１１２を制御する。
【００１９】
位置検出手段２０２は机上面１１５に置かれた把持可能な物体を検出し、机上面１１５に対する位置や姿勢を検出する。物体認識手段２０３は物体を認識し、情報処理装置１００で物体を識別するための物識別情報を生成する。紐づけ手段２０６は識別された個々の物体に特定の文書処理フローを紐づけまたは対応付け、保持手段２０５に登録する。生成手段２０７はそれぞれに特定の文書処理フローが対応付けられた複数の物体を認識し、組み合わせ処理フローを生成する。文書認識手段２０４は、特定の文書処理フローが対応付けられたトレイなどの物体と接触する文書１２０の画像をカメラ１１１から取得する。文書認識手段２０４は、公知の画像認識技術を用いて取得された画像から文書１２０の内容を取得する。ジョブ実行手段２０８は、文書認識手段２０４により取得された文書１２０の内容に基づき、物体に対応付けられた文書処理フローを実行する。結果表示手段２０９はジョブ実行手段２０８における処理の実行結果を机上面１１５または机上に置かれた物体に投影する。
【００２０】
図３は、文書処理フロー定義を指定するフロー定義文書の一例を示す図である。フロー定義文書はＸＭＬ（ｅＸｔｅｎｓｉｂｌｅ  Ｍａｒｋｕｐ  Ｌａｎｇｕａｇｅ）で記述され、＜ｐｒｏｃｅｓｓ＿ｆｌｏｗ＿ｌｉｓｔ＞がフロー定義文書全体を表す構造化要素である。＜ｐｒｏｃｅｓｓ＿ｆｌｏｗ＞は単一または複数のフロー処理を定義する構造化要素であり、ｉｄ属性の値で他のフロー定義と区別される。ｉｄ属性の値は、フロー処理を識別する処理識別情報である。＜ｐｒｏｃｅｓｓ＞は実行するフロー処理種別を指定する構造化要素であり、ｏｒｄｅｒ属性で実行順が指定される。＜ｐｒｏｃｅｓｓ＞要素によって指定されるフロー処理種別は、ジョブ実行手段２０８によって実行される文書処理フローを特定するためのラベルである。ジョブ実行手段２０８は、はフロー処理種別に示されるラベルにより特定される文書処理フローを実行する。
【００２１】
図４は、保持手段２０５の一例を示すデータ構造図である。保持手段２０５は、物識別情報９０１と、処理識別情報９０２と、物体のタイプ９０３と、物体の外形サイズ９０４と、を対応付けて保持する。物識別情報９０１は情報処理装置１００において個々の物体を識別する文字列を格納する。処理識別情報９０２は図３に示す文書フロー定義文書における＜ｐｒｏｃｅｓｓ＿ｆｌｏｗ＞のｉｄ属性の値を格納する。タイプ９０３は、位置検出手段２０２が事前に学習して識別する物体の種別として、文書トレーを示すtray、文書ファイルフォルダを示すfolder、文書を示すdocを格納する。サイズ９０４は、位置検出手段２０２が測定または推定して得られた物体の幅・奥行・高さの組をミリメートル単位で格納する。
【００２２】
以上の構成による情報処理装置１００の動作を説明する。
図５は、実施の形態に係る情報処理装置１００における一連の処理の一例を示すフローチャートである。Ｓ１０では、プロジェクタ１１２は机上面１１５の対象領域に物体の配置を促すメッセージを投影する。このメッセージは、ユーザに対するガイドとして機能する。Ｓ１２では、位置検出手段２０２は、物体の検出を行う。物体の検出では、何も置かれていない状態の机上面１１５の画像と、現在の机上面１１５の画像と、の差分から置かれた物体の外輪郭を抽出する。位置検出手段２０２は、多数の物体の外輪郭のパターンを事前に学習しておくことで、検出および物体の種別判定を行う。
【００２３】
Ｓ１４では、ステップＳ１２で検出された物体のタイプがtrayである場合、処理はＳ１６へ分岐し、そうでない場合はＳ１２に戻ることでループする。このように、Ｓ１４ではtrayタイプの物体が検出されるまで処理が継続される。Ｓ１６では、物体認識手段２０３は、検出された文書トレータイプの物体の個体識別処理を行う。個体識別処理において、物体認識手段２０３は物体の物識別情報を取得する。本実施の形態では、個体識別処理は、物体に印刷または貼付されたバーコードを読み取ることで行われる。なお、個体識別処理はこれに限定されず、例えば紐づけを行いたいフロー処理の数が少ない場合は、物体の色や外観形状等で物体を識別してもよい。
【００２４】
Ｓ１８では、紐づけ手段２０６は、個体識別された物体の物識別情報に対する文書処理フローの紐づけが実行済か否かを、保持手段２０５を参照して判定する。Ｓ１６で取得された物識別情報が保持手段２０５に既に登録されている場合、紐づけ手段２０６は紐づけがすでにされていると判定する。紐づけ手段２０６は物識別情報に対応する処理識別情報を保持手段２０５を参照して特定し、Ｓ２２へ進む。Ｓ１６で取得された物識別情報が保持手段２０５に登録されていない場合、紐づけ手段２０６は紐づけはされていないと判定し、処理をＳ２０へ進める。Ｓ２０では、紐づけ手段２０６は、文書処理フローの紐づけがされていない物体に新規に文書処理フローを紐づける。Ｓ２０について図６で後述する。
【００２５】
Ｓ２２では、プロジェクタ１１２は、Ｓ１８で特定された処理識別情報により特定される文書処理フローまたはＳ２０で紐づけられた文書処理フローの実行が可能であることをユーザに通知する。例えばプロジェクタ１１２は、実行可能であることを示すアイコンやメッセージを、机上面１１５の対象領域に投影する。Ｓ２４では、位置検出手段２０２は、既に置かれている物体に他の物体が重ねて置かれたか否かをＳ１２と同様の方法で判定する。Ｓ２６では、Ｓ２４で新たに検出された物体の種別により処理が分岐する。ステップＳ２４で新たに検出された物体のタイプがtrayである場合は処理はＳ２８へ分岐し、タイプがdocである場合は処理はＳ３４へ分岐し、いずれでもない場合はＳ２４に戻ることでループする。このように、Ｓ２６ではtrayタイプまたはdocタイプの物体が検出されるまで処理が継続される。
【００２６】
Ｓ２８では、生成手段２０７は他の文書処理フローで既に処理された文書があるか否かを判定する。生成手段２０７は、ＲＡＭ１０３に含まれる不図示の処理対象画像の格納領域に画像が格納されていれば、文書有と判定し、処理はＳ３０へ分岐し、なければＳ１６へ分岐する。Ｓ３０では、プロジェクタ１１２は、処理対象画像の格納領域に格納されている文書の画像を最上位の物体に重畳するよう投影するとともに、文書処理の要否をユーザに問うメッセージを投影する。生成手段２０７は、投影された「YES」の領域か「NO」の領域に対するユーザのタップを待ち受ける。Ｓ３２では、生成手段２０７はカメラ１１１から得られる画像からタップされた領域が「YES」か「NO」かを判定し、「YES」であれば処理はＳ３４へ、「NO」であればＳ１６へ分岐する。
【００２７】
Ｓ３４では、文書認識手段２０４は文書認識を実行し、得られた情報に基づいて文書処理フローを実行する。プロジェクタ１１２は、処理結果を机上面１１５の対象領域にある物体に重畳するよう投影する。Ｓ３６では、処理制御部１０４はシステムを終了するか否かを判定する。処理制御部１０４は、不図示のシャットダウンボタンが押し下げられたら処理を終了する。終了されない場合は、処理はＳ２４へ戻る。
【００２８】
図６は、図５の紐づけ処理Ｓ２０における一連の処理を示すフローチャートである。Ｓ４０では、プロジェクタ１１２は、Ｓ１６で識別された物体に紐づけ可能な文書処理フローを表す処理アイコンを机上面１１５の対象領域に投影する。Ｓ４２では、紐づけ手段２０６は、指差し、ジェスチャ、またはマウスなどのポインティングデバイスによる移動指示にしたがう処理アイコンの移動を検出する。Ｓ４４では、紐づけ手段２０６は、移動が検出された場合、Ｓ４６へ処理を分岐させ、そうでなければＳ４２へ分岐させる。Ｓ４６では、紐づけ手段２０６は、処理アイコンが移動中であるか否かを判定する。移動中の場合、処理はＳ４２へ分岐する。移動が終わった場合、処理はＳ４８へ分岐する。Ｓ４８では、紐づけ手段２０６は、処理アイコンの移動先が物体の位置と接触または重畳しているか否かを判定する。紐づけ手段２０６は、接触または重畳している場合には処理をＳ５０へ分岐させ、そうでなければＳ５２へ分岐させる。Ｓ５０では、紐づけ手段２０６は、処理アイコンが重畳して投影されている物体の物識別情報と当該処理アイコンによって表される文書処理フローの処理識別情報とを対応づけて保持手段２０５に登録する。Ｓ５２では、紐づけ手段２０６は、ユーザに処理アイコンの移動を再開するか、対応付け処理をキャンセルするかを問い合わせる。紐づけ手段２０６は、プロジェクタ１１２によって対象領域に投影されたキャンセルボタンに対するタップの検出または処理アイコンの再移動の検出のいずれかを待ち受けてもよい。処理アイコンの移動が再開された場合、処理はＳ４４に戻る。キャンセルボタンがタップされた場合、処理はＳ５４に進む。Ｓ５４では、紐づけ手段２０６は所定のキャンセル処理を実行する。この場合、物体と文書処理フローとが対応付けられることなく処理は終了する。
【００２９】
図７（ａ）〜（ｆ）は、机上面１１５の対象領域３０１の状態の例示的な遷移を示す図である。図７（ａ）〜（ｆ）は情報処理装置１００の紐づけ手段２０６による物体への文書処理フローの対応付けの一例を示す。本実施の形態では、処理を対応付けるべき物体として、オフィス事務等で使用されている紙文書を載せる文書トレー３０４を想定する。図７（ａ）〜（ｆ）に示される状態の遷移は、図５のＳ１０、Ｓ１２、Ｓ１４、Ｓ１６、Ｓ１８、Ｓ２０、Ｓ２２、および図６のフロー全体に対応する。
【００３０】
図７（ａ）において、机上面１１５の対象領域３０１は、プロジェクタ１１２の投影可能範囲に含まれ、かつカメラ１１１の撮影可能範囲に含まれる。例えば、カメラ１１１の画角は対象領域３０１全体を撮影できるよう調整されている。プロジェクタ１１２は、机上面１１５に物体を置く場所の目安として破線枠３０２を対象領域３０１に投影する。合わせてプロジェクタ１１２は、破線枠３０２の中央に物体の配置を促すガイドメッセージ３０３を投影する。
【００３１】
図７（ｂ）は、ユーザがガイドメッセージ３０３にしたがい破線枠３０２で示される領域に文書トレー３０４を置いた状態を示す。文書トレー３０４には、情報処理装置１００において個々の文書トレーを他の文書トレーや他の物体と識別可能にするための固有の物識別番号を表すバーコード３０５が付与されている。バーコード３０５は例えばCODE128規格を使用して物識別情報をエンコードすることにより生成される。対象領域３０１に文書トレー３０４が置かれると、位置検出手段２０２は事前に学習させた識別器により文書トレー３０４がtrayタイプであることを識別する。位置検出手段２０２は、机上面１１５に対する文書トレー３０４の位置を求めるとともに、バーコード３０５を読み取ることで、文書トレー３０４の固有の物識別情報を得る。
【００３２】
図７（ｃ）において、表示・操作手段２０１は、文書トレー３０４が検出されたことに応じて、第１処理アイコン３０６、第２処理アイコン３０７、第３処理アイコン３０８をプロジェクタ１１２に投影させる。第１処理アイコン３０６、第２処理アイコン３０７、第３処理アイコン３０８はそれぞれ、認識された文書トレー３０４に紐づけ可能な文書処理フローを表す。
【００３３】
図７（ｄ）において、ユーザは第１処理アイコン３０６を指差しによりドラッグ操作することで、第１処理アイコン３０６を文書トレー３０４に接触あるいは重畳するよう移動させる。このとき、紐づけ手段２０６は、表示・操作手段２０１によって報知される第１処理アイコン３０６の投影位置３０９と位置検出手段２０２によって報知される文書トレー３０４の位置とを取得する。紐づけ手段２０６は、取得された投影位置３０９と文書トレー３０４の位置との関係から両者が接触あるいは重畳しているか否かを判定する。紐づけ手段２０６は、接触あるいは重畳していると判定された場合、第１処理アイコン３０６が表すレセプトシステム登録処理フローを文書トレー３０４に対応付ける。具体的には、紐づけ手段２０６は、文書トレー３０４の物識別情報とレセプトシステム登録処理フローの処理識別情報とを対応付けて保持手段２０５に登録する。
【００３４】
図７（ｅ）において、プロジェクタ１１２は、レセプトシステム登録処理フローが文書トレー３０４に紐づけられ実行可能になったことを示すメッセージ３１０を対象領域３０１に投影する。
【００３５】
図７（ｆ）は、図７（ｅ）の状態からユーザが第１処理アイコン３０９を対象領域３０１内の文書トレー３０４とは関係ない領域にドラッグした場合に対応する。この場合、プロジェクタ１１２は、対応付け処理をキャンセルするか否かを問い合わせるメッセージ３１１と共にキャンセルボタン３１２を対象領域３０１に投影する。ユーザがキャンセルボタン３１２を指差しタップ操作すると、対応付け処理がキャンセルされる。
【００３６】
図８（ａ）〜（ｅ）は、机上面１１５の対象領域４０１の状態の例示的な遷移を示す図である。図８（ａ）〜（ｅ）は情報処理装置１００のジョブ実行手段２０８による文書処理フローの実行の一例を示す。図８（ａ）〜（ｅ）の例では、図７（ａ）〜（ｅ）において説明した処理により文書トレー４０４にレセプトシステム登録処理フローが紐づけられていることを想定する。図８（ａ）〜（ｅ）に示される状態の遷移は、図５のＳ１０、Ｓ１２、Ｓ１４、Ｓ１６、Ｓ１８、Ｓ２２、Ｓ２４、Ｓ２６、Ｓ３４に対応する。
【００３７】
まず、プロジェクタ１１２は、図７（ａ）と同様に、机上面１１５の対象領域４０１に破線枠とガイドメッセージとを投影する。ユーザは、図７（ｂ）と同様に、ガイドメッセージにしたがい破線枠で示される領域に文書トレー４０４を置く。ここで、文書トレー４０４は既にレセプトシステム登録処理フローに対応するものとして保持手段２０５に登録されている。位置検出手段２０２は、文書トレー４０４に貼付されたバーコード４０５を読み取ることで、文書トレー４０４の固有の物識別情報を得る。
【００３８】
図８（ａ）において、ジョブ実行手段２０８は、文書トレー４０４の物識別情報をキーとして保持手段２０５を検索し、対応するレセプトシステム登録処理フローを特定する。プロジェクタ１１２は、特定されたレセプトシステム登録処理フローを表す処理アイコン４０７を文書トレー４０４に重畳するよう投影するとともに、メッセージ４０６を対象領域４０１に投影する。
【００３９】
図８（ｂ）において、ユーザがレセプトシステム登録処理の対象の文書４０８を文書トレー４０４に載せると、位置検出手段２０２は事前に学習させた識別器により文書４０８がdocタイプであることを識別する。位置検出手段２０２は、カメラ１１１から得られる文書４０８の画像を、文書画像情報としてＲＡＭ１０３内の処理対象画像の格納領域に格納する。合わせて文書認識手段２０４は、文書４０８の内容を認識し、認識した内容からレセプトシステム登録処理に必要な情報を抽出する。
【００４０】
図９は、レセプトシステム登録処理の対象の文書４０８の一例を示す図である。本実施の形態では、健康保険証を処理対象の文書とする。文書認識手段２０４は、健康保険証の認識結果から、医事会計システムにおける新規患者の登録に必要となる保険組合、被保険者番号、患者氏名、性別、生年月日等の情報を得る。
【００４１】
図８（ｃ）において、ジョブ実行手段２０８は文書トレー４０４に紐づけられたレセプトシステム登録処理フローを実行する。結果表示手段２０９は、文書４０８の処理が完了した旨を示すメッセージ４０９、４１０を対象領域４０１に投影する。メッセージ４０９は、文書４０８に重畳するよう投影され、該文書４０８が登録済みとなったことを示す。
【００４２】
図８（ｃ）の状態で、ユーザがメッセージ４０９、４１０のいずれかをタップすると、結果表示手段２０９はそれを詳細表示のための指示として受け付ける。詳細表示のための指示が受け付けられると、図８（ｄ）において、プロジェクタ１１２は登録処理の結果を示すテキスト４１１をメッセージ４１０に代えて対象領域４０１に投影する。文書認識手段２０４による認識結果に誤りがあり、登録処理の結果が所望のものではなかった場合、ユーザはテキスト４１１を編集することで修正することができる。また、図８（ｂ）において、文書トレー４０４に載せられた文書４０８がすでに処理済みである場合がある。すなわち、文書認識手段２０４によって文書４０８から抽出された情報に基づきジョブ実行手段２０８がレセプトシステム登録処理を実行したが、既に登録済である場合がある。このような場合、図８（ｅ）において、プロジェクタ１１２は既登録メッセージ４０９、４１２を対象領域４０１に投影することで、二重登録を回避する。
【００４３】
図１０（ａ）〜（ｄ）は、机上面１１５の対象領域６０１の状態の例示的な遷移を示す図である。図１０（ａ）〜（ｄ）は情報処理装置１００の生成手段２０７による組合せ処理フローの生成および実行の一例を示す図である。図１０（ａ）〜（ｄ）の例では、図７（ａ）〜（ｅ）において説明した処理により第１文書トレー６０４、第２文書トレー６０８、第３文書トレー６１２にそれぞれレセプトシステム登録処理フロー、カルテ管理システム登録処理フロー、処方箋管理システム登録処理フローが紐づけられていることを想定する。図１０（ａ）〜（ｄ）に示される状態の遷移は、図５のＳ１０、Ｓ１２、Ｓ１４、Ｓ１６、Ｓ１８、Ｓ２２、Ｓ２４、Ｓ２６、Ｓ２８、Ｓ３４に対応する。
【００４４】
まず、プロジェクタ１１２は、図７（ａ）と同様に、机上面１１５の対象領域６０１に破線枠とガイドメッセージとを投影する。ユーザは、図７（ｂ）と同様に、ガイドメッセージにしたがい破線枠で示される領域に第１文書トレー６０４を置く。ここで、第１文書トレー６０４は既にレセプトシステム登録処理フローに対応するものとして保持手段２０５に登録されている。位置検出手段２０２は、第１文書トレー６０４に貼付された第１バーコードを読み取ることで、第１文書トレー６０４の固有の物識別情報を得る。ジョブ実行手段２０８は、第１文書トレー６０４の物識別情報をキーとして保持手段２０５を検索し、対応するレセプトシステム登録処理フローを特定する。プロジェクタ１１２は、図８（ａ）と同様に、特定されたレセプトシステム登録処理フローを表す第１処理アイコンを第１文書トレー６０４に重畳するよう投影する。プロジェクタ１１２はレセプトシステム登録処理フローが利用可能であることを示す第１メッセージを対象領域６０１に投影する。
【００４５】
図１０（ａ）は、ユーザが第２文書トレー６０８を第１文書トレー６０４の上に重ねて置いた状態を示す。ここで、第２文書トレー６０８は既にカルテ管理システム登録処理フローに対応するものとして保持手段２０５に登録されている。第２文書トレー６０８に貼付された第２バーコード６０９には第２文書トレー６０８の物識別情報がエンコードされている。プロジェクタ１１２は、第２バーコード６０９から得られる物識別情報に対応付けられたカルテ管理システム登録処理フローを表す第２処理アイコン６１１を第２文書トレー６０８に重畳するよう投影する。合わせてプロジェクタ１１２は、第２メッセージ６１０を対象領域６０１に投影する。
【００４６】
図１０（ｂ）は、ユーザがさらに第３文書トレー６１２を第２文書トレー６０８の上に重ねて置いた状態を示す。ここで、第３文書トレー６１２は既に処方箋管理システム登録処理フローに対応するものとして保持手段２０５に登録されている。第３文書トレー６１２に貼付された第３バーコード６１３には第３文書トレー６１２の物識別情報がエンコードされている。プロジェクタ１１２は、第３バーコード６１３から得られる物識別情報に対応付けられた処方箋管理システム登録処理フローを表す第３処理アイコン６１５を第３文書トレー６１２に重畳するよう投影する。合わせてプロジェクタ１１２は、第３メッセージ６１４を対象領域６０１に投影する。
【００４７】
図１０（ｃ）において、ユーザが一連のシステム登録処理の対象となる文書６１６を最上段の第３文書トレー６１２に載せると、位置検出手段２０２は事前に学習させた識別器により文書６１６がdocタイプであることを識別する。位置検出手段２０２は、カメラ１１１から得られる文書６１６の画像を、文書画像情報としてＲＡＭ１０３内の処理対象画像の格納領域に格納する。合わせて文書認識手段２０４は、文書６１６の内容を認識し、認識した内容から一連のシステム登録処理に必要な情報を抽出する。図１０（ｃ）の状態では、位置検出手段２０２は合計３つの異なる物識別情報を取得している。生成手段２０７は、これら３つの物識別情報のそれぞれに対応する文書処理フローを特定する。
【００４８】
図１０（ｄ）において、生成手段２０７は、特定された３つの文書処理フローをジョブ実行手段２０８に逐次実行させる。その結果、ジョブ実行手段２０８は、文書６１６から抽出された情報を入力とする３つの文書処理フローを一括で実行することとなる。具体的には、第１文書トレー６０４、第２文書トレー６０８、第３文書トレー６１２にそれぞれ対応するレセプトシステム登録処理フロー、カルテ管理システム登録処理フロー、処方箋管理システム登録処理フローが一括で実行される。結果表示手段２０９は、プロジェクタ１１２に、文書６１６に関する全ての登録処理が完了した旨を示す完了メッセージ６１７、６１８を投影させる。
【００４９】
図１１（ａ）〜（ｃ）は、机上面１１５の対象領域７０１の状態の例示的な遷移を示す図である。図１１（ａ）〜（ｃ）は情報処理装置１００の生成手段２０７による組合せ処理フローの生成および実行の他の例を示す図である。図１１（ａ）〜（ｃ）の例では、図７（ａ）〜（ｅ）において説明した処理により第１文書トレー７０４、第２文書トレー７１１にそれぞれレセプトシステム登録処理フロー、カルテ管理システム登録処理フローが紐づけられていることを想定する。図１１（ａ）〜（ｃ）に示される状態の遷移は、図５のＳ１０、Ｓ１２、Ｓ１４、Ｓ１６、Ｓ１８、Ｓ２２、Ｓ２４、Ｓ２６、Ｓ２８、Ｓ３０、Ｓ３２、Ｓ３４に対応する。
【００５０】
まず、プロジェクタ１１２は、図７（ａ）と同様に、机上面１１５の対象領域７０１に破線枠とガイドメッセージとを投影する。ユーザは、図７（ｂ）と同様に、ガイドメッセージにしたがい破線枠で示される領域に第１文書トレー７０４を置く。ここで、第１文書トレー７０４は既にレセプトシステム登録処理フローに対応するものとして保持手段２０５に登録されている。位置検出手段２０２は、第１文書トレー７０４に貼付された第１バーコードを読み取ることで、第１文書トレー７０４の固有の物識別情報を得る。ジョブ実行手段２０８は、第１文書トレー７０４の物識別情報をキーとして保持手段２０５を検索し、対応するレセプトシステム登録処理フローを特定する。プロジェクタ１１２は、図８（ａ）と同様に、特定されたレセプトシステム登録処理フローを表す第１処理アイコンを第１文書トレー７０４に重畳するよう投影するとともに、登録準備の完了を伝える第１メッセージを対象領域７０１に投影する。図８（ｂ）と同様に、ユーザがレセプトシステム登録処理の対象の文書７０８を第１文書トレー７０４に載せると、位置検出手段２０２は事前に学習させた識別器により文書７０８がdocタイプであることを識別する。位置検出手段２０２は、カメラ１１１から得られる文書７０８の画像を、文書画像情報としてＲＡＭ１０３内の処理対象画像の格納領域に格納する。合わせて文書認識手段２０４は、文書７０８の内容を認識し、認識した内容からレセプトシステム登録処理に必要な情報を抽出する。ジョブ実行手段２０８はレセプトシステム登録処理フローを実行する。結果表示手段２０９は、図８（ｃ）と同様に、文書７０８の処理が完了した旨を示す完了メッセージを対象領域７０１に投影する。プロジェクタ１１２は、登録済みとなったことを示す画像を文書７０８に重畳するよう投影する。
【００５１】
図１１（ａ）は、ユーザが第２文書トレー７１１を第１文書トレー７０４の上に重ねて置いた状態を示す。ここで、第２文書トレー７１１は既にカルテ管理システム登録処理フローに対応するものとして保持手段２０５に登録されている。第２文書トレー７１１に貼付された第２バーコード７１２には第２文書トレー７１１の物識別情報がエンコードされている。プロジェクタ１１２は、第２バーコード７１２から得られる物識別情報に対応付けられたカルテ管理システム登録処理フローを表す第２処理アイコン７１３を第２文書トレー７１１に重畳するよう投影する。合わせてプロジェクタ１１２は、登録準備の完了を伝える第２メッセージ７１４を対象領域７０１に投影する。
【００５２】
図１１（ｂ）において、処理対象画像の格納領域に格納された文書７０８の画像が存在するので、プロジェクタ１１２は格納されている文書７０８の画像７１５を第２処理アイコン７１３に代えて、第２文書トレー７１１に重畳するよう投影する。ユーザは第２文書トレー７１１に関連付けて表示される文書７０８の画像７１５を見ることで、文書７０８をカルテ管理システム登録処理フローにも適用できることを知ることができる。合わせてプロジェクタ１１２は、処理の実行の要否をユーザに選択させる選択メッセージ７１６を対象領域７０１に投影する。ユーザが選択メッセージ７１６の選択肢「YES」をタップすると、ジョブ実行手段２０８は文書７０８から抽出された情報を入力とするカルテ管理システム登録処理フローを実行する。選択肢「NO」がタップされると、図１１（ａ）の状態に戻り、位置検出手段２０２は新たな文書の検出を待ち受ける。
【００５３】
図１１（ｃ）において、ジョブ実行手段２０８は第２文書トレー７１１に紐づけられたカルテ管理システム登録処理フローを実行する。結果表示手段２０９は、文書７０８の登録処理が完了した旨を示す完了メッセージ７１８を対象領域７０１に投影する。プロジェクタ１１２は、登録済みとなったことを示す画像７１７を、文書７０８の画像７１５に重畳するように投影する。これは、文書７０８の画像７１５に登録済み画像７１７が重なった状態を示す新たな画像を生成し、生成された画像を投影することで実現されてもよい。
【００５４】
本実施の形態に係る情報処理装置１００によると、文書トレーなどの物理的な物体とシステムにおける処理との直感的な紐づけが可能となり、ワークフロー作成やワークフロー実行の効率を高めることができる。
【００５５】
以上、実施の形態に係る情報処理装置の構成と動作について説明した。この実施の形態は例示であり、その各構成要素や各処理の組み合わせにいろいろな変形例が可能なこと、またそうした変形例も本発明の範囲にあることは当業者に理解されるところである。
【００５６】
実施の形態では、処理を対応付ける物体として文書トレーを用いて説明したが、これに限られず、例えば把持可能で文書との紐づけが可能な任意の物体を採用してもよい。あるいはまた、処理を対応付ける物体は本実施の形態に係る技術的思想を適用するアプリケーションに応じて選択されてもよい。
【００５７】
実施の形態に係る技術的思想は、上述の１以上の機能を実現するプログラムを、ネットワーク又は記憶媒体を介してシステム又は装置に供給し、そのシステム又は装置のコンピュータにおける１つ以上のプロセッサが該プログラムを読出し実行することによって実現可能である。また、１以上の機能を実現する回路（例えば、ＡＳＩＣ）によっても実現可能である。
【００５８】
実施の形態では、ユーザの指示により処理アイコンを移動させ、移動後に処理アイコンが物体と接触または重畳する場合に、処理アイコンに対応する処理と物体とを対応付ける場合を説明したが、これに限られない。物体が検出されている状態でなされた処理アイコンに対する操作が所定の条件を満たす場合、検出された物体と投影された処理アイコンに対応する処理とを対応付けてもよい。この場合、処理アイコンの操作は、少なくとも、実施の形態にあるような処理アイコンの移動と、処理アイコンの拡大／縮小と、処理アイコンに対するタップと、を含む。
【００５９】
図１２（ａ）、（ｂ）は、処理アイコン１５０の拡大による対応付けを説明する図である。図１２（ａ）において、ユーザは対象領域１５２に複数の、例えば３つの物体１５４、１５６、１５８を置く。ユーザは、対象領域１５２において処理アイコン１５０の右上の角を指１６０で押さえてドラッグするジェスチャを行う。カメラ１１１によって撮影された該ジェスチャに対応してプロジェクタ１１２は処理アイコン１５０を拡大して投影する。図１２（ｂ）において、処理アイコン１５０の拡大の結果、３つの物体１５４、１５６、１５８が処理アイコン１５０に含まれるようになる。情報処理装置は、カメラ１１１によりこの状況を検出すると、処理アイコン１５０に対応する処理を３つの物体１５４、１５６、１５８に一括して対応付ける。
【００６０】
また、図７（ｃ）の状態で、ユーザが複数の処理アイコン３０６、３０７、３０８のなかからひとつをタップし、情報処理装置はタップされた処理アイコンに対応する処理を文書トレー３０４に対応付けてもよい。
【００６１】
あるいはまた、位置検出手段は対象領域に置かれた複数の物体を検出し、プロジェクタ１１２は複数の処理アイコンを表示してもよい。この場合、ユーザはどの処理アイコンをどの物体に対応付けるかを、処理アイコンを物体にドラッグすることで指定する。図１３（ａ）、（ｂ）は、３つの処理アイコン２５２、２５４、２５６の移動による対応付けを説明する図である。図１３（ａ）において、ユーザは対象領域２５８に３つの物体２６０、２６２、２６４を置く。プロジェクタ１１２は、３つの処理アイコン２５２、２５４、２５６を対象領域２５８に投影する。図１３（ｂ）において、ユーザは、第１処理アイコン２５２を第１物体２６０に重なるようドラッグする。ユーザは、第２処理アイコン２５４を第３物体２６４に重なるようドラッグする。ユーザは、第３処理アイコン２５６を第２物体２６２に重なるようドラッグする。３つの処理アイコンの移動が検出されると、プロジェクタ１１２は登録ボタン２６６を対象領域２５８に投影する。ユーザが登録ボタン２６６に対してタップ動作を行うと、該動作をカメラ１１１が認識し、紐づけ手段は処理アイコンに対応する処理と物体との対応付けを行う。このように、処理と物体との対応付けを一括して行えるよう構成してもよい。
【００６２】
あるいはまた、位置検出手段は対象領域に置かれた複数の物体を検出し、プロジェクタ１１２は複数の移動先領域を表示してもよい。この場合、ユーザはどの処理をどの物体に対応付けるかを、物体を移動先領域に動かすことで指定する。図１４（ａ）、（ｂ）は、３つの物体３５０、３５２、３５４の移動による対応付けを説明する図である。図１４（ａ）において、ユーザは対象領域３６０に３つの物体３５０、３５２、３５４を置く。プロジェクタ１１２は、２つの移動先領域をそれぞれ破線の矩形枠３５６、３５８として投影する。図１４（ｂ）において、ユーザは、第１物体３５０を第２矩形枠３５８の中へと（物理的に、例えば手で持って）動かす。ユーザは、第２物体３５２および第３物体３５４を第１矩形枠３５６の中へと動かす。３つの物体の移動が検出されると、プロジェクタ１１２は登録ボタン３６６を対象領域３６０に投影する。ユーザが登録ボタン３６６に対してタップ動作を行うと、該動作をカメラ１１１が認識し、紐づけ手段は矩形枠に対応する処理とその中にある物体との対応付けを行う。本例では、第１矩形枠３５６に対応する処理Ａと第２物体３５２、第３物体３５４とが対応付けられ、第２矩形枠３５８に対応する処理Ｂと第１物体３５０とが対応付けられる。なお、処理Ｂと第１物体３５０とを対応付けることは、第１物体３５０の画像等を入力として処理Ｂを実行するのではなく、第１物体３５０のＩＤと処理ＢのＩＤとを対応付けることを意味する。すなわち、対応付けの後、情報処理装置が再度第１物体３５０を検出すると、処理Ｂを特定し実行する。
【００６３】
また、処理アイコンを移動させる場合でも、物体との接触または重畳まで要求しなくても、対象領域における物体と処理アイコンの投影位置との距離について、移動の前よりも移動の後のほうが当該距離が小さい場合に対応付けることとしてもよい。
【００６４】
実施の形態では、ユーザが処理アイコンを動かして物体に接触または重畳させる場合について説明したが、これに限られず、ユーザが物体を動かして処理アイコンに接触または重畳させてもよい。この場合、情報処理装置の位置検出手段は対象領域において物体の移動を検出する。紐づけ手段は、対象領域における物体と処理アイコンの投影位置との距離について、検出された物体の移動の前よりも移動の後のほうが当該距離が小さい場合、検出された物体と処理アイコンに対応する処理とを対応付ける。
【００６５】
実施の形態では、実行可能である旨のメッセージや実行が完了した旨のメッセージが投影される場合について説明したが、これに限られず、処理の実行状態がユーザに通知されればよい。例えば、処理に時間がかかっている場合は、処理が実行中である旨のメッセージが投影されてもよい。あるいはまた、メッセージの投影の代わりにメッセージを音声にて出力してもよい。
【００６６】
実施の形態では、ユーザが文書トレーを重ねて置く場合について説明したが、これに限られず、例えば文書トレーを机上面１１５上に並べて置いてもよい。
【００６７】
（その他の実施例）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００６８】
１００  情報処理装置、  １１１  カメラ、  １１２  プロジェクタ、  １１５  机上面、  １２０  文書。
【図１】
2018018169.tif 000003
【図２】
2018018169.tif 000004
【図３】
2018018169.tif 000005
【図４】
2018018169.tif 000006
【図５】
2018018169.tif 000007
【図６】
2018018169.tif 000008
【図７】
2018018169.tif 000009
【図８】
2018018169.tif 000010
【図９】
2018018169.tif 000011
【図１０】
2018018169.tif 000012
【図１１】
2018018169.tif 000013
【図１２】
2018018169.tif 000014
【図１３】
2018018169.tif 000015
【図１４】
2018018169.tif 000016